(57)【要約】      （修正有）【課題】カバーを器具本体に対して回転させることによって着脱可能に装着した照明装置において、カバーが脱落しにくい二重の安全機構を有し、且つ受け具による光の影を生じにくいものを提供する。【解決手段】受け部材６は、横断面形状が「コ」の字状である本体部６０を有する。本体部６０は、取付部６１の縁から起立する起立板部６２、起立板部６２の前縁から外方に折曲された支持板部６３を有している。支持板部６３は、回転面に沿った平板状である。起立板部６２には、山形の可動押圧部６６が入口６４側に、山形の可動押圧部６７が奥側（蓋部６５側）に、本体部６０の内部空間（通路）に突出するように設けられている。可動押圧部６６，６７は、弾性変形することによって突出量が変化する。可動押圧部６６と可動押圧部６７との間には、凸部が留まる第１保持部６８、可動押圧部６７と蓋部６５との間にも凸部５３が留まる第２保持部６９が確保されている。【選択図】図６
2014130737.tif 000002
【特許請求の範囲】
【請求項１】
本体と、
当該本体の前面に配設され発光素子を光源とする光源ユニットと、前記光源ユニットを覆う透光性のカバーとを備え、
前記カバーは、その開口縁に前記光源ユニットの周りを囲む環状の装着部を有し、当該装着部を前記本体の前面に沿わせた状態で回動させることによって、前記カバーが前記本体に着脱可能に取付けられている照明装置であって、
前記装着部には凸部が設けられ、
前記本体の前面には、前記カバーの回動に伴って前記凸部を受け入れるカバー受け部が設けられ、
前記カバー受け部は、
前記凸部が周方向にスライド可能な通路と、前記凸部の前方への移動を阻止する支持板とを有し、
さらに、前記凸部が前記通路を通過するときに当接して当該凸部を押圧する第１押圧部及び第２押圧部が、前記カバーの回動面に沿って前記通路の入口側から奥側に並んで設けられ、
前記第１押圧部と第２押圧部との間に前記凸部を保持する第１保持部、第２押圧部の奥に前記凸部を保持する第２保持部が設けられている、
照明装置。
【請求項２】
第１押圧部及び第２押圧部が前記凸部を押圧する方向は、
前記カバーの回動面に沿っている、
請求項１記載の照明装置。
【請求項３】
前記支持板は、前記カバーの回動面に沿った平板状である、
請求項１または２記載の照明装置。
【請求項４】
前記カバー受け部は、前記通路に臨む側壁を有し、
第１押圧部及び第２押圧部は、それぞれ、
前記側壁から突出し、弾性変形することによってその突出量が変化する凸状部からなる、
請求項１〜３のいずれかに記載の照明装置。
【請求項５】
前記支持板の前面は、前記光源ユニットの前面よりも後方に位置する、
請求項１〜４のいずれかに記載の照明装置。
【発明の詳細な説明】
【技術分野】
【０００１】
本発明は、器具本体に、ＬＥＤ（Light  Emitting  Diode）等の発光素子を有する光源ユニットが装着され、光源ユニットを覆う透光性のカバーが着脱可能に装着されている照明装置に関する。
【背景技術】
【０００２】
近年、ＬＥＤなどの発光素子を光源とする光源ユニットを利用した照明装置が普及しつつある。
例えば、建築物用の照明装置として、特許文献１に示されるように、ＬＥＤ発光素子を光源に用いたシーリングライトも開発されている。
このタイプの照明装置は、電源ユニットなどが収納された器具本体が天井に取り付けられ、器具本体における前方側（鉛直下方側）の面には、光源ユニットが装着されている。光源ユニットは、基板上にＬＥＤが実装された発光モジュール及びその表面に設けられた拡散レンズを有している。そして、光源ユニットを覆うように、透光性のカバーが装着されている。  このカバーは、円環状の取付け口を有し、その取付け口が器具本体の外周部に取付けられている。
【０００３】
カバーを器具本体に着脱可能に取り付けるため、特許文献１に示される照明装置では、カバーの取付口の内周面に突出する取付金具が設けられ、器具本体の外周部に、受け部材が取り付けられている。そして、カバーを回動させてカバーの取付金具を受け部材に係止させることによってカバーが装着される。一旦装着された後は、取付金具と受け部材とが係合することによって、自然には外れないが、カバーを取外すときには、取付け方向と反対の取外し方向にカバーを回転させて、取付金具とカバー受金具との係合を解くことによって取り外すことができるようになっている。
【先行技術文献】
【特許文献】
【０００４】
【特許文献１】特開２０１２−１４６６６７号公報
【特許文献２】特開２００５−３８７３２号公報
【発明の概要】
【発明が解決しようとする課題】
【０００５】
上記のようにカバーが着脱可能に装着された照明装置において、カバーの装着時に回転が不十分なまま使用されると、振動等でカバーが受け部材から外れて、落下してしまうおそれがある。
これに対して、例えば、特許文献２に開示されている受け具のように、受け具を上段及び下段の２段構造にすることも有効と考えられる。
【０００６】
しかし受け具を２段構造にすると、受け具の高さが高くなるので、光源ユニットから外方に出射される光が、受け具で遮られてその影が目立ちやすくなる。
本発明は、カバーを、器具本体に対して回転させることによって着脱可能に装着した照明装置において、カバーの装着時に回転が不十分なまま使用されてもカバーが脱落しにくく、且つ受け具による影が目立ちにくいものを提供することを目的とする。
【課題を解決するための手段】
【０００７】
上記目的を達成するため、本発明の一態様にかかる照明装置は、本体と、当該本体の前面に配設され発光素子を光源とする光源ユニットと、光源ユニットを覆う透光性のカバーとを備え、カバーは、その開口縁に前記光源ユニットの周りを囲む環状の装着部を有し、当該装着部を本体の前面に沿わせた状態で回動させることによって、カバーが本体に着脱可能に取付けられている照明装置であって、装着部には凸部が設けられ、本体の前面には、カバーの回動に伴って凸部を受け入れるカバー受け部が設けられ、カバー受け部は、凸部が周方向にスライド可能な通路と、凸部の前方への移動を阻止する支持板とを有し、さらに、凸部が通路を通過するときに当接して当該凸部を押圧する第１押圧部及び第２押圧部が、カバーの回動面に沿って通路の入口側から奥側に並んで設けられ、第１押圧部と第２押圧部との間に凸部を保持する第１保持部、第２押圧部の奥に前記凸部を保持する第２保持部が設けられている。
【発明の効果】
【０００８】
上記態様にかかる照明装置において、カバー装着時には、カバーを回転させることによって、凸部をカバー受け部に挿入し、凸部を周方向にスライドさせ、第１押圧部及び第２押圧部を乗り越えて奥にある第２保持部まで凸部を挿入する。第２保持部において凸部は支持板によって前方への移動が阻止されているので、カバーは装着された状態で安定に保持される。また、カバーを取り外すときには、カバーを装着時と逆方向に回転させることによって凸部を周方向にスライドさせ、第２押圧部及び第１押圧部を乗り越えて凸部をカバー受け部から外して、カバーを取り外す。
【０００９】
ここで、凸部がスライドして第２押圧部及び第１押圧部を乗り越えるときには、凸部は第２押圧部及び第１押圧部から押圧力を受けるので、カバー装着時に回転に伴って２度抵抗力がかかる。
従って、カバー装着時に回転が不十分で凸部が第２保持部まで到達せず、第１保持部に留まったまま使用しても、カバーが振動などによって脱落することがない。
【００１０】
また、カバーが装着されて凸部が第２保持部に保持されている状態で、カバーを取り外し方向に回転させると、凸部が第２押圧部を乗り越えたときに、凸部は一旦第１保持部に保持される。この第１保持部においても、凸部の前方へ移動は支持板によって阻止されるので、カバーは脱落することなく保持される。そして、さらにカバーを取り外し方向に回転させて凸部が第１押圧部を乗り越えた後に、カバーの凸部が受け部から外れて前方への移動が可能となり、カバーを取り外すことができるようになる。
【００１１】
このように、上記態様の照明装置においては、カバー装着時に回転が不十分で第２保持部まで凸部が到達していない場合でも、凸部は第１保持部で保持され得るので、振動等でカバーが外れて脱落するのを抑えることができる。また、カバーを取り外すときに、凸部が２つの押圧部（第２押圧部及び第１押圧部）を乗り越えないと、カバーは前方へ移動できないようになっているので、カバーが一気に回転して落下するのを防止できる。
【００１２】
また、上記態様の照明装置においては、カバー取付部における２つの押圧部は、カバーの回動面に沿って一平面上に設けられているので、カバー取付部の高さを低く抑えることができる。従って、光源ユニットから外方に出射される光がカバー取付部で遮蔽されにくい。
【図面の簡単な説明】
【００１３】
【図１】実施の形態にかかる照明装置１の分解斜視図。
【図２】照明装置１の一部を分解した斜視図。
【図３】照明装置１の概略断面図。
【図４】カバー５を後方から見た斜視図。
【図５】カバー５の装着時における凸部５３と、受け部材６及びフック部材７の位置関係を示す図。
【図６】受け部材６の斜視図。
【図７】カバー５の着脱時に回転に伴ってなされる受け部材６の動作を示す図。
【図８】（ａ）は比較例にかかる受け具を示す図、（ｂ）は照明装置１による効果を説明する図。
【発明を実施するための形態】
【００１４】
＜本発明に到る経緯＞
カバーを器具本体に対して回転させることによって着脱可能な照明装置において、上述したカバーの落下を抑える課題に対しては、特許文献２に開示されているように、受け具を上段及び下段の２段構造にすることも有効と考えられる。
図８（ａ）に示す受け具１０２は、特許文献２に開示されている２段構造の受け具の一例である。この受け具１０２は、照明装置の本体１０１の下面外周付近に取り付けられ、グローブの開口縁に形成した凸部（不図示）が、この受け具１０２に係止されて装着される。
【００１５】
受け具１０２は、受け部としての低段部１１２と高段部１１３を有している。
カバーを装着するときには、カバーの回転に伴ってカバーに設けられた凸部が受け具１０２に挿入され、低段部１１２の始端にある落下防止用小突起１１５を乗り越えて低段部１１２の上方に導入される。そして、低段部１１２の終端から続く傾斜部１１６を経て高段部１１３に凸部が送り込まれた状態でカバーが保持される。
【００１６】
次にカバーを取り外すときにはカバーを逆方向に回転すると、カバーの凸部は高段部１１３から外れるが、低段部１１２によって凸部が保持される。従って、カバーの装着が不十分であっても、振動などによって脱落することはないと考えられる。
しかし、このように受け具を２段構造にすると受け具の高さが高くなるので、光源ユニットから外方に出射される光が、受け具で遮られてその影が目立ちやすくなる。
【００１７】
ここで、受け具による遮光をなくすには、光源ユニットの出射面を本体から高くして、受け具の前方に位置させることも有効であるが、照明装置全体の厚さをできるだけ薄くしたい点から、光源ユニットの出射面の本体からの高さはあまりできないことも多い。
このような背景のもとに、カバーの脱落を防止するのと、光源ユニットからの出射光が受け具によって遮られないようにする課題を両方とも解決することを目指して、新たな受け具の構造を検討し、本発明にかかる照明装置の構成に到った。
【００１８】
＜発明の態様＞
本発明の一態様にかかる照明装置は、本体と、当該本体の前面に配設され発光素子を光源とする光源ユニットと、光源ユニットを覆う透光性のカバーとを備え、カバーは、その開口縁に前記光源ユニットの周りを囲む環状の装着部を有し、当該装着部を本体の前面に沿わせた状態で回動させることによって、カバーが本体に着脱可能に取付けられている照明装置であって、装着部には凸部が設けられ、本体の前面には、カバーの回動に伴って凸部を受け入れるカバー受け部が設けられ、カバー受け部は、凸部が周方向にスライド可能な通路と、凸部の前方への移動を阻止する支持板とを有し、さらに、凸部が通路を通過するときに当接して当該凸部を押圧する第１押圧部及び第２押圧部が、カバーの回動面に沿って通路の入口側から奥側に並んで設けられ、第１押圧部と第２押圧部との間に凸部を保持する第１保持部、第２押圧部の奥に凸部を保持する第２保持部が設けられている。
【００１９】
上記態様の照明装置によれば、カバーが装着されて凸部が第２保持部に保持されている状態において、カバーを取り外し方向に回転させると、まず、凸部が第２押圧部を乗り越えて、凸部は第１保持部に保持される。この第１保持部においても、凸部の前方へ移動は支持板によって阻止されるので、カバーは脱落することなく保持される。次に、カバーをさらに取り外し方向に回転させて、凸部が第１押圧部を乗り越えると、凸部がカバー受け部から外れるので、カバーを前方に外すことができる。
【００２０】
このように、上記態様の照明装置においては、凸部が２つの押圧部（第２押圧部及び第１押圧部）を乗り越えないと、凸部はカバー受け部から外れることがなく前方への移動が阻止される。従って、カバー装着時に回転が不十分で第２保持部まで凸部が到達していない場合でも、凸部は第１保持部で保持され得るので、振動等でカバーが外れて脱落するのを抑えることができる。また、カバーを取り外す時にカバーが一気に回転して脱落するのを防止することができる。
【００２１】
また、上記態様の照明装置においては、カバー取付部において、第１押圧部及び第２押圧部がカバーの回動面に沿って通路入口側から奥側に並んで設けられている。すなわち、カバー取付部における２つの押圧部は、カバーの回動面に沿って一平面上に設けられているので、カバー取付部の高さを低く抑えることができる。従って、光源ユニットから外方に出射される光がカバー取付部で遮蔽されにくい。
【００２２】
よって、上記態様の照明装置によれば、振動などによるカバーの落下を防止でき、且つ光源ユニットから外方に出射される光がカバー取付部で遮蔽されるのを抑えることもできる。
上記態様の照明装置において、第１押圧部及び第２押圧部が凸部を押圧する方向は、カバーの回動面に沿っていることが、カバー取付部の高さを低く抑えて、光源ユニットから外方に出射される光がカバー取付部で遮蔽されにくくする上で好ましい。
【００２３】
上記態様の照明装置において、支持板は、カバーの回動面に沿った平板状であることが、光源ユニットからの光の遮蔽を少なくする上で好ましい。
上記のようなカバー受け部は、カバー受け部において通路に臨む側壁を設け、第１押圧部及び第２押圧部を、それぞれ、側壁から突出し、弾性変形することによってその突出量が変化する凸状部で形成することによって、簡素な構成とすることができる。また、カバー受け部の全体を樹脂などで一体成型することもできる。
【００２４】
上記態様の照明装置において、支持板の前面を、光源ユニットの前面よりも後方に位置させれば、光源ユニットからの光は基本的にカバー受け部で遮蔽されることがないので好ましい。
以下、実施の形態に係る照明装置について、図面を参照しながら説明する。
＜実施の形態＞
（照明装置の全体構成）
図１は、照明装置１の分解斜視図である。説明上、図中矢印Ｚ方向を前方とする。
【００２５】
図１に示すように、照明装置１は、器具本体２、器具本体２の前面側に設けられた光源ユニット（主光源ユニット３及びセンター光源ユニット４）、器具本体２の前面側において光源ユニット３，４を覆うカバー５を備えている。
図２は、照明装置１における本体１０、光源ユニット３，４を分解した斜視図である。
器具本体２は、円板状の本体１０と、本体１０の後面側に装着された電源ユニット２０とで構成されている。この照明装置１は、図３に示すように、照明装置１の前方（矢印Ｚ）を鉛直下方に向け、電源ユニット２０の後面を天井２００に対向させた状態で取り付けられて使用される。
【００２６】
以下に、器具本体２、光源ユニット３，４、カバー５についてそれぞれ説明する。
（器具本体２）
本体１０は、中央に貫通孔が設けられた円板状であって、例えば、金属板、あるいはセラミックスや熱伝導性樹脂のような絶縁性材料で形成されている。本体１０は、矢印Ｚに対して垂直な平面に沿って拡がっている。
【００２７】
図２に示すように、本体１０は、主光源ユニット３が装着される円環状の平板部１１を有し、平板部１１の内側にはセンター光源ユニット４が装着される円環状の中央部１２、平板部１１の外側には、カバー５が装着される円環状の外周部１３を有している。
中央部１２は、平板部１１から一段前方に盛り上がり、外周部１３は平板部１１から一段後方に後退している。
【００２８】
電源ユニット２０は、主光源ユニット３及びセンター光源ユニット４に電力を供給するものであって、絶縁板上に搭載された制御ブロック２１及び電源ブロック２２を備え、また、これらを後側から覆う金属からなる保護カバー２３を備える。制御ブロック２１及び電源ブロック２２は、本体１０と保護カバー２３で囲まれた空間内に収納されている。
制御ブロック２１は、例えば、ユーザーが操作できるリモートコントローラーから出力される点灯信号および非点灯信号を受信し、電源ブロック２２に制御信号を出力する。電源ブロック２２は、基板と基板上に実装された各種の電子部品とから構成され、供給された交流電流を所望の直流電流に変換する回路を備える。
【００２９】
図３に示すように、保護カバー２３の中央部には、取り付け用の貫通孔２４が開設されている。この保護カバー２３における貫通孔２４の箇所には、天井２００に設置された取付器具２０１が嵌合され、取付器具２０１を介して照明装置１に給電がなされる。
また、保護カバー２３の後面にはパッキン２５が設けられ、保護カバー２３が天井２００と直接接触するのを防止している。
【００３０】
（主光源ユニット３）
主光源ユニット３は、全体の形状が円環状である主発光モジュール３１と、その前面に設けられた円環状の主光源レンズ３２とで構成される。
主発光モジュール３１は、４つの１／４円弧状のサブユニット３３ａ〜３３ｄが円環状に配列されて形成されている。各サブユニット３３ａ〜３３ｄは、１／４円弧状の実装基板３４とその表面に配置された複数のＬＥＤ３５を含む。各ＬＥＤ３５の発光色は例えば白色である。
【００３１】
主光源レンズ３２は、主発光モジュール３１からの出射光を拡散するレンズであって、各ＬＥＤ３５の前方に位置する部分が凸状になっている。主光源レンズ３２は、例えば、アクリル樹脂、ポリカーボネート樹脂、ガラス等の透光性材料で形成されている。
（センター光源ユニット４）
センター光源ユニット４は、主光源ユニット３の内方に填まり込む円環状であって、センター発光モジュール４１と、その前面に設けられたセンターレンズ４２とで構成されている。センター発光モジュール４１は、円環状の実装基板４３と、円周状に配置された複数のＬＥＤ４４とを含む。各ＬＥＤ４４の発光色は、例えば白色である。
【００３２】
センターレンズ４２は、センター発光モジュール４１からの出射光を拡散するレンズであって、主光源レンズ３２と同様に、ＬＥＤ４４の前方に位置する部分が凸状になっていて、透光性材料で形成されている。
(カバー５)
カバー５は、主光源ユニット３及びセンター光源ユニット４の全体を覆うことができる形状に形成されている。
【００３３】
図４は、カバー５を後方から見た斜視図である。当図に示すように、カバー５は、主光源ユニット３及びセンター光源ユニット４を覆うドーム状のカバー本体部５１と、器具本体２に取付けられる取付口部５２とを有する。
取付口部５２は、本体１０の外周部１３に合わせたサイズの円環状であり、この取付口部５２の内周面５２ａには、カバー５を本体１０に係止するための凸部５３が６個、周方向に等間隔で形成されている。各凸部５３は、内周面５２ａから内方に突出し、後方から見た形状は滑らから山形である。
【００３４】
カバー５は、例えば、シリコーン樹脂、アクリル樹脂、ポリカーボネート樹脂、ガラス等の透光性材料で形成され、内面には、出射光を拡散させる拡散処理、例えば、シリカや白色顔料等による拡散処理が施されている。
カバー５の着脱は、図１に示すように、取付口部５２を本体１０の外周部１３に突き合わせて、外周部１３の前面（矢印Ｚと直交する平面）に沿って、矢印Ａ方向あるいは反対の矢印Ｂの方向に回転させることによってなされる。
【００３５】
取付口部５２は矢印Ｚに垂直な平面に沿って回転するので、説明上、この矢印Ｚに垂直な平面を「回転面」ということとする。なお、照明装置１が天井２００に取り付けられた状態では、この「回転面」は水平面と一致する。
また説明上、矢印Ｚに垂直な回転面に沿った本体１０の内方を単に「内方」といい、回転面に沿った本体１０の外方を単に「外方」ということとする。
【００３６】
（受け部材６、フック部材７）
図１，図２に示すように、本体１０の外周部１３には、カバー５の凸部５３を係止させる受け部材６及びフック部材７が３個ずつ、外周部１３の周方向（矢印Ａ、矢印Ｂの方向）に沿って交互に設けられている。各受け部材６及びフック部材７は、外周部１３に装着されるカバー５の取付口部５２の内側に沿うように設けられている（図３参照）。
【００３７】
３つの受け部材６は１２０°ごとに設けられ、３つのフック部材７は、受け部材６同士の中間位置に設けられている。
受け部材６は、カバー５の装着時に凸部５３を受け入れて、凸部５３の前方への移動を阻止すると共に、カバー５の回転を規制する部材である。
フック部材７はカバー５の装着時に受け部材６と受け部材６との中間位置において凸部５３を係止して、カバー５の前方への移動を阻止する部材である。図２中の拡大図に示すように、フック部材７は、外周部１３の前面側に取り付けられる取付部７１と、取付部７１から前方に伸び先端が外方に屈曲した鉤型部７２とを有する。
【００３８】
カバー５を装着する時には、操作者はカバー５を図１の状態から後方（矢印Ｚの反対方向）に移動させて取付口部５２を外周部１３に付き合わせ、カバー５を矢印Ａの方向に回転させる。それに伴ってカバー５の凸部５３が受け部材６に挿入される。
図５（ａ），（ｂ）は、カバー５の装着時における凸部５３と、受け部材６及びフック部材７の位置関係を示す図であって、これらを回転面に沿って切断して前方から見た図である。
【００３９】
取付口部５２を外周部１３に付き合わせるときには、図５（ａ）に示すように、凸部５３が受け部材６及びフック部材７と重ならない位置で行う。
次に、矢印Ａで示す方向にカバー５を回転させて、カバー５を装着する。装着された状態においては、図５（ｂ）に示すように凸部５３は受け部材６の中に入り込む。このとき、隣の凸部５３は、フック部材７の鉤型部７２と重なる位置になるので、凸部５３はフック部材７の鉤型部７２の後方に嵌り込んで係止される（図３参照）。
【００４０】
３つの受け部材６は同じ構成であり、動作も同じである。
（受け部材６の詳細構成）
次に、各受け部材６の構成について詳細に説明する。
図６は受け部材６の斜視図であって、外方から見た図である。
受け部材６は、周方向Ａに沿って延伸し、横断面形状が「コ」の字状である本体部６０を有する。「コ」の字は外方向（図６中矢印Ｘの方向）が開口しており、本体部６０の内部空間は周方向（矢印Ａ，Ｂの方向）に伸長して、凸部５３が外側から差し込まれながら周方向にスライドできる通路となっている。
【００４１】
本体部６０は、本体１０の前面に取り付けられている取付部６１、取付部６１の縁から前方（Ｚ方向）に起立する起立板部６２、起立板部６２の前縁から外方に折曲された支持板部６３とを有している。取付部６１と支持板部６３は、起立板部６２から外方向に伸長して上記のように断面が「コ」の字状となっている。支持板部６３は、回転面に沿った平板状であって、受け部材６に差し込まれた凸部５３が前方（Ｚ方向）に移動するのを阻止する働きをなす。
【００４２】
本体部６０の周方向の両端部については、入口６４は凸部５３が通路に入り込めるように開口し、一方、本体部６０の奥側（入口６４と反対側）の端部は、蓋部６５によって塞がれて、凸部５３の周方向への移動が阻止される。
本体部６０において、取付部６１と支持板部６３との間隔ｈ2は、凸部５３がこの間隙に沿ってスムースに周方向にスライドできるように、凸部５３の厚みｈ1（図４参照）に若干のクリアランスを加えた長さに設定することが好ましい。
【００４３】
受け部材６における起立板部６２には、斜面部６６１と斜面部６６２を有する山形の可動押圧部６６及び斜面部６７１と斜面部６７２を有する山形の可動押圧部６７が、本体部６０の内部空間（通路）に突出するように設けられている。
ここで、可動押圧部６６及び可動押圧部６７は、カバー５の回転面に沿って並んで位置している。すなわち可動押圧部６６及び可動押圧部６７のＺ方向の位置が同じである。
【００４４】
可動押圧部６６，６７は、弾性変形することによってその起立板部６２からの突出量が変化する山形状の部分であって、可動押圧部６６は入口６４側に、可動押圧部６７はその奥側（蓋部６５側）に設けられている。
そして、可動押圧部６６と可動押圧部６７との間には、凸部５３が留まって保持されるスペースである第１保持部６８が確保されている。また可動押圧部６７と蓋部６５との間にも凸部５３が留まって保持されるスペースである第２保持部６９が確保されている。
【００４５】
可動押圧部６６は、斜面部６６１側の端部６６ａが起立板部６２に連続してつながり、斜面部６６２側の端部６６ｂは自由端となっている。
そして、可動押圧部６６に対して内方向（Ｘ方向の反対）に外力を加えると、主に端部６６ａ付近が弾性変形し、可動押圧部６６の突出量が少なくなる。この状態では、可動押圧部６６は凸部５３の通路から退避した状態となるので、凸部５３は可動押圧部６６を乗り越えて通路をスライドできる。
【００４６】
可動押圧部６７も同様であって、斜面部６７１側の端部６７ａが起立板部６２に連続してつながり、斜面部６７２側の端部６７ｂは自由端となっている。そして、可動押圧部６７に対して内方向（Ｘ方向の反対）に外力を加えると、主に端部６７ａ付近が弾性変形して可動押圧部６７の内部空間への突出量が変化するようになっている。
このような受け部材６は、樹脂成型によって全体を一体で形成することができる。樹脂で形成する場合、凸部５３を支持することができる強度と、可動押圧部６６，６７が弾性変形できるように弾性を有する樹脂を用いる。
【００４７】
あるいは、受け部材６を金属板やセラミック板で形成することもできる。
なお、可動押圧部６６，６７が弾性変形するのを妨げないように、起立板部６２には斜面部６６２，６７２を通過させる貫通孔６２１，６２２が開設されている。
（カバー５の着脱に伴う受け部材６の動作）
図７は（ａ）〜（ｅ）は、カバー５の着脱時に回転に伴ってなされる受け部材６の動作を示す図であって、カバー５の着脱時に、回転面に沿ってカバー５の凸部５３と受け部材６を切断した断面を後方から見た図である。図では受け部材６を１つだけ示すが、３つの受け部材６は同じ動作を行う。
【００４８】
カバー５の装着時：
操作者は、カバー５の取付口部５２を外周部１３に付き合わせて、カバー５を矢印Ａの方向に回転すると、（ａ）から（ｅ）の順に動作がなされる。
図７（ａ）は、凸部５３が受け部材６に挿入される前の状態を示している。このときは凸部５３の前方に支持板部６３が存在しないが、回転に伴って凸部５３が受け部材６の入口６４から挿入されると、図７（ｂ）〜（ｅ）に示すように、凸部５３の前方に支持板部６３が重なるので、凸部５３は支持板部６３によって前方への移動が阻止される。
【００４９】
図７（ｂ）は、凸部５３が可動押圧部６６を乗り越えるときの状態を示している。
このとき、可動押圧部６６の斜面部６６２を凸部５３が摺動しながら可動押圧部６６を押圧して、可動押圧部６６は当図に示すように内方（Ｘ方向の反対）に弾性変形して通路から退避した状態となるので、凸部５３は可動押圧部６６を乗り越えることができる。また、凸部５３は可動押圧部６６によって矢印ｆ1の方向に押圧されるので、操作者がカバー５を回転させる上で抵抗力を受け、装着感（クリック感）を感じることができる。
【００５０】
図７（ｃ）は、凸部５３が可動押圧部６６を乗り越えた後、第１保持部６８に保持されている状態を示している。このとき、可動押圧部６６は、凸部５３による押圧から解放され、もとの状態に復元している。
図７（ｄ）は、凸部５３が可動押圧部６７を乗り越えるときの状態を示している。
このとき、可動押圧部６７の斜面部６７１を凸部５３が摺動しながら可動押圧部６６を押圧し、可動押圧部６７が内方（Ｘ方向の反対）に弾性変形して通路から退避した状態となるので、凸部５３は可動押圧部６７を乗り越えることができる。また、カバー５の凸部５３が可動押圧部６７によって矢印ｆ2の方向に押圧され、操作者がカバー５を回転させるＡ方向と逆向きの抵抗力を受け、装着感を感じることができる。
【００５１】
図７（ｅ）は、凸部５３が可動押圧部６７を乗り越えた後、第２保持部６９に保持されている状態、すなわち、カバー５の装着が完了した状態を示している。
このとき、可動押圧部６７は、凸部５３による押圧から解放され、もとの状態に復元している。この状態で、凸部５３は、可動押圧部６７と蓋部６５との間で安定して保持される。
【００５２】
照明装置１はこのようにカバー５が装着された状態で使用される。
カバー５の取り外し時：
カバー５を取り外すときは、操作者は、カバー５を図７（ｅ）に矢印Ｂで示す向き、すなわち矢印Ａと反対向きに回転させる。それに伴って、図７の（ｅ）から（ａ）の順に動作し、凸部５３が受け部材６から外れるので、カバー５を前方（Ｚ方向）に取り外すことができる。
【００５３】
ここで、凸部５３が可動押圧部６７を乗り越えるとき（図７（ｄ）参照）には、斜面部６７２を凸部５３が摺動しながら可動押圧部６６を押圧し、可動押圧部６７が退避した状態となる。それに伴って、カバー５の凸部５３は可動押圧部６７によって押圧され、操作者はカバー５を回転させるＢ方向と逆向きの抵抗力を受ける。凸部５３が可動押圧部６７を乗り越えると、第１保持部６８に一旦保持される（図７（ｃ）参照）。
【００５４】
次に、凸部５３が可動押圧部６６を乗り越えるとき（図７（ｂ）参照）には、斜面部６６１を凸部５３が摺動しながら可動押圧部６６を押圧し、可動押圧部６６が退避した状態となる。それに伴って、カバー５の凸部５３は可動押圧部６６によって押圧され、操作者はカバー５を回転させるＢ方向と逆向きの抵抗力を受ける。
このようにカバー５を回転させて取り外す時においても、凸部５３が可動押圧部６７，６６を乗り越えるときに、回転方向（Ｂ方向）と逆の向きの抵抗力を２度受ける。
【００５５】
（照明装置１による効果）
１．カバー５の落下防止効果
操作者がカバー５を矢印Ｂの方向に回転させて装着するときに、回転不十分であって凸部５３が第２保持部６９に到達しないまま使用した場合でも、凸部５３は第１保持部６８に保持される。従って、振動などによって凸部５３が受け部材６から外れることがなく、カバー５は脱落しない。また、操作者がカバー５を矢印Ｂの方向に回転させて取り外すときに、凸部５３が可動押圧部６７を乗り越えたとしても、凸部５３は第１保持部６８に保持されるので、カバー５は重力によって落下することがない。すなわち、凸部５３が可動押圧部６７と可動押圧部６６を乗り越えるときに逆向きの抵抗力を２回受けたときに初めてカバー５が外れるので、カバー５が一気に回転して外れることがない。
【００５６】
２．受け部材６が光源ユニットからの光を遮蔽するのを抑える効果
上記受け部材６においては、２つの可動押圧部６６，６７が、外周部１３の周方向に沿って並んで、同一回転面上に配置されている。すなわち、可動押圧部６６，６７のＺ方向の高さが同一の１段構造である。さらに凸部５３を押圧する方向も回転面に沿っている。
従って、取付部６１と支持板部６３との間隔ｈ2は、上記のように凸部５３の厚みｈ1に若干のクリアランスを加えた長さで十分である。すなわち、受け部材６のＺ方向の高さは、可動押圧部を１つだけ設けた場合と同等に低くすることができる。また、上記のように支持板部６３を回転面に沿った平板状にすることもできる。
【００５７】
このように、受け部材６においては、２つの可動押圧部６６，６７を設けて２重の脱落防止機能を備え、且つＺ方向の高さを低く保つことができるので主光源ユニット３からの光は遮蔽されにくい。
一方、図８（ａ）に示した比較例の受け具１０２のように２段構造にした受け具は、１段構造の受け具よりも高さが高くなるので、主光源ユニット３から出射される光が遮光されやすい。
【００５８】
この点について、図８（ｂ）では、実施の形態にかかる受け部材６を用いた照明装置１と、比較例にかかる２段構造の受け部１０２を用いた照明装置とで、主光源ユニット３から外方に出射される光が遮蔽される様子を比較している。
外周部１３に受け部材６が取り付けられている場合、外周部１３からの受け部材６の高さをｈ3、外周部１３に２段構造の受け具１０２を取り付けた場合の外周部１３から受け具１０２の高さをｈ4としている。
【００５９】
比較例にかかる照明装置においては、主光源ユニット３から外方に出射される光の中、光線Ｌ1〜光線Ｌ2の範囲は受け具１０２によって遮光される。そして遮光された範囲は、受け具の影としてカバーに表われる。
一方、実施の形態にかかる照明装置１においては、受け部材６の高さｈ3は、比較例にかかる受け具１０２の高さｈ4よりも小さいので、実施の形態にかかる照明装置１においては、光線Ｌ1〜光線Ｌ2の範囲は遮蔽されない。従って照明装置１においては、比較例と比べて、カバー５に表われる影の範囲が小さくなり、見栄えがよくなる。
【００６０】
また、照明装置１においては受け部材６の高さが小さいので、図８（ｂ）に示すように、受け部材６の前面（支持板部６３の前面）を、主光源ユニット３の前面よりも後方に位置させることもできる。その場合、主光源ユニット３から外方に出射される光が受け部材６でほとんど遮光されないので、カバー５に受け部材６の影が表われることもほとんどない。
【００６１】
以上説明したように、照明装置１によれば、カバー５の装着が不十分であっても、」振動などによる脱落は防止され、且つ、主光源ユニット３から外方に出射される光が受け部材で遮蔽されにくくなっている。
３．また受け部材６においては、可動押圧部６６及び可動押圧部６７を、起立板部６２から突出する山形状に形成することによって、２つの押圧部を簡素な構成で実現でき、受け部材６の全体を一体成型することもできる。
【００６２】
（変形例など）
１．上記照明装置１においては、受け部材６及びフック部材７を３個ずつ設けたが、２個ずつ１８０°間隔で設けても同様に実施することができる。あるいは受け部材６及びフック部材７を４個以上ずつ設けても同様に実施することができ、同様の効果を得ることができる。
【００６３】
また、照明装置に設ける受け部材６の数は１個だけでも実施可能である。例えば、上記照明装置１に設けた３個の受け部材６の中、２つを一般的な構造の受け部材に置き換えた場合でも、同様の効果を得ることができる。
２．上記照明装置１の受け部材６においては、本体部６０の支持板部６３が起立板部６２から外方向ｎ伸びて横断面形状が「コ」の字状であったが、本体部６０の形状はこれに限らない。例えば、支持板部６３が起立板部６２から内方向に伸長して断面がクランク状であってもよい。
【００６４】
３．受け部材６における可動押圧部６６及び可動押圧部６７の形状についても、山形に限られず、凸部５３が通路をスライドするときにそれを押圧できるように形成されていれば、特に形状は限定されない。
また、受け部材６においては、可動押圧部６６及び可動押圧部６７を本体部６０と一体成型したが、可動押圧部を本体部と別の弾性部材で形成して、本体部に取り付けてもよい。
【００６５】
例えば、本体部は樹脂で形成し、可動押圧部を板ばねで形成して、これを本体部に取り付けることによって受け部材６と同様の機能をもった受け部材を実現することもできる。
４．上記照明装置１においては、カバー５における凸部５３が取付口部５２の内周面５２ａから内方に突出していたが、凸部を取付口部の外周面から外方に突出させ、受け部材６と同様の受け部材を取付口部５２の外側を囲むように設けてもよい。その場合も、同様の効果を得ることができる。
【００６６】
５．図４に示すカバー本体部５１は円形ドーム状であるが、カバー本体部５１の形状は、光源ユニット３，４を覆うことができる形状であればよく、例えば平面視で４角形状であってもよい。
６．上記照明装置１においては、発光源としてＬＥＤを用いたが、ＬＤ（レーザダイオード）、ＥＬ素子（エレクトリックルミネッセンス素子）などを用いても良い。
【００６７】
７．上記照明装置１においては、器具本体２に電源ユニット２０が内蔵されていたが、電源ユニットは、照明装置に内蔵されず、照明装置の外部に設けられていてもよい。
８．上記実施の形態では、シーリングライト用の照明装置を例にとって説明したが、シーリングライト以外に、例えば壁付型の照明装置においても、同様にカバー５及び受け部材６の構造を適用することができ、同様の効果を得ることができる。
【符号の説明】
【００６８】
１    照明装置
２    器具本体
３    主光源ユニット
４    センター光源ユニット
５    カバー
６    受け部材
７    フック部材
１０    本体
１１    平板部
１２    中央部
１３    外周部
２０    電源ユニット
３１    主発光モジュール
３２    主光源レンズ
４１    センター発光モジュール
４２    センターレンズ
４３    実装基板
４４    ＬＥＤ
５１    カバー本体部
５２    取付口部
５２ａ  内周面
５３    凸部
６０    本体部
６２    起立板部
６３    支持板部
６６，６７  可動押圧部
６８，６９    保持部
７１    取付部
７２    鉤型部
【図１】
2014130737.tif 000003
【図２】
2014130737.tif 000004
【図３】
2014130737.tif 000005
【図４】
2014130737.tif 000006
【図５】
2014130737.tif 000007
【図６】
2014130737.tif 000008
【図７】
2014130737.tif 000009
【図８】
2014130737.tif 000010